(57)【要約】【課題】予約操作がよりしやすく、使い勝手のよいデジタル放送受信装置を提供する。【解決手段】デジタル放送受信装置１００に、表示装置に表示された電子番組表の範囲を選択するための選択手段（矢印キー，決定キー，数字キー，ＣＰＵ７，範囲決定プログラム９ｃ）と、選択された範囲に含まれる番組の番組名及び放送時間を含む番組情報をＥＰＧデータから抽出する番組情報抽出手段（ＣＰＵ７，番組抽出プログラム９ｄ）と、抽出された番組情報に基づいて、当該範囲に含まれる番組のリストを表示装置に表示させるリスト表示制御手段（ＣＰＵ７，表示制御プログラム９ｅ）と、表示装置に表示されたリストにおいて番組を選択するための入力部６と、選択された番組の視聴予約又は録画予約を設定する予約手段（ＣＰＵ７，予約プログラム９ｆ）と、を備えた。【選択図】図２
2007195004.tif 000002
【特許請求の範囲】
【請求項１】
デジタル放送波に含まれるＥＰＧデータに基づいて電子番組表を表示装置に表示させるデジタル放送受信装置において、
前記表示装置に表示された前記電子番組表における任意のチャンネル及び任意の時間のうち、少なくとも何れか一方を指定する指定手段と、
前記指定手段により指定された任意のチャンネル及び／又は任意の時間により、予め設定された範囲決定条件に従って前記電子番組表における範囲を決定する決定手段と、
前記決定手段によって決定された前記範囲に含まれる番組の番組名及び放送時間を含む番組情報を前記ＥＰＧデータから抽出する番組情報抽出手段と、
前記番組情報抽出手段によって抽出された番組情報に基づいて、前記範囲に含まれる番組のリストを前記表示装置に表示させるリスト表示制御手段と、
前記リスト表示制御手段によって前記表示装置に表示されたリストにおいて番組を選択するための番組選択手段と、
前記番組選択手段によって選択された番組の視聴予約又は録画予約を設定する予約手段と、
前記電子番組表における番組のジャンルを指定するためのジャンル指定手段と、を備え、
前記番組情報には、当該番組の出演者及びサブタイトルのうち、少なくとも何れか一つを含む詳細情報が含まれ、
前記番組情報抽出手段は、
前記ジャンル指定手段によってジャンルが指定された場合に、前記決定手段によって決定された前記範囲に含まれる番組のうち、前記ジャンル指定手段によって指定されたジャンルに該当する番組の番組情報のみを前記ＥＰＧデータから抽出することを特徴とするデジタル放送受信装置。
【請求項２】
デジタル放送波に含まれるＥＰＧデータに基づいて電子番組表を表示装置に表示させるデジタル放送受信装置において、
前記表示装置に表示された前記電子番組表の範囲を選択するための選択手段と、
前記選択手段によって選択された前記範囲に含まれる番組の番組名及び放送時間を含む番組情報を前記ＥＰＧデータから抽出する番組情報抽出手段と、
前記番組情報抽出手段によって抽出された番組情報に基づいて、前記範囲に含まれる番組のリストを前記表示装置に表示させるリスト表示制御手段と、
前記リスト表示制御手段によって前記表示装置に表示されたリストにおいて番組を選択するための番組選択手段と、
前記番組選択手段によって選択された番組の視聴予約又は録画予約を設定する予約手段と、
を備えることを特徴とするデジタル放送受信装置。
【請求項３】
前記番組情報には、当該番組の出演者及びサブタイトルのうち、少なくとも何れか一つを含む詳細情報が含まれることを特徴とする請求項２に記載のデジタル放送受信装置。
【請求項４】
前記電子番組表における番組のジャンルを指定するためのジャンル指定手段を備え、
前記番組情報抽出手段は、
前記ジャンル指定手段によってジャンルが指定された場合に、前記選択手段によって選択された前記範囲に含まれる番組のうち、前記ジャンル指定手段によって指定されたジャンルに該当する番組の番組情報のみを前記ＥＰＧデータから抽出することを特徴とする請求項２又は３に記載のデジタル放送受信装置。
【請求項５】
前記選択手段は、
前記表示装置に表示された前記電子番組表における任意のチャンネル及び任意の時間のうち、少なくとも何れか一方を指定する指定手段と、
前記指定手段により指定された任意のチャンネル及び／又は任意の時間により、予め設定された範囲決定条件に従って前記電子番組表における範囲を決定する決定手段と、
を備えることを特徴とする請求項２〜４の何れか一項に記載のデジタル放送受信装置。
【発明の詳細な説明】
【技術分野】
【０００１】
本発明は、デジタル放送受信装置に関する。
【背景技術】
【０００２】
従来、デジタル放送により放送データとともに伝送されるＥＰＧ（Electronic  Program  Guide）データを利用して番組の視聴予約を行うデジタル放送受信装置が知られている（例えば、特許文献１〜４）。例えば、ユーザが電子番組表から番組の視聴予約を行うと、当該電子番組表における当該番組の放送時間帯を全てのチャンネルにおいて着色するデジタル放送受信装置も知られている（例えば、特許文献１）。また、電子番組表において複数の小番組からなる番組を選択した場合に、当該番組内の小番組単位で視聴予約が行えるようにしたデジタル放送受信装置も知られている（例えば、特許文献２）。また、スケジュール情報を入力すると、当該スケジュール情報と視聴傾向情報とを参照して、ＥＰＧデータの中からユーザの視聴時間及び視聴傾向に応じた番組を抽出するデジタル放送受信装置が知られている（例えば、特許文献３）。また、ユーザがチャンネル及び予約時間を指定して予約した番組をＥＰＧデータから抽出して、当該番組の放送予定時刻が変更された場合には、予約時間を自動で変更するデジタル放送受信装置も知られている（例えば、特許文献４）。
また、電子番組表を当該電子番組表の枠と番組間の仕切り線だけで構成し、当該電子番組表の所定条件を満たす番組の位置に所定のマークを表示するデジタル放送受信装置も知られている（例えば、特許文献５）。
【特許文献１】特開２００５−１１７１８０号公報
【特許文献２】特開２００４−１９４２２２号公報
【特許文献３】特開２００４−３６３６８９号公報
【特許文献４】特開２００５−１９７８２８号公報
【特許文献５】特開２００４−３２０５０３号公報
【発明の開示】
【発明が解決しようとする課題】
【０００３】
しかしながら、特許文献１及び特許文献２のように電子番組表で視聴予約を行う場合、電子番組表において表示される番組欄が小さいため、番組名ですら全文表示されていない場合も多く、見にくいため、番組の選択操作や予約操作がやりにくく、使い勝手が悪いという問題があった。特許文献３〜５は、そもそもユーザが電子番組表を見て視聴予約を行うものではないので、上記問題を解決できない。
【０００４】
本発明の課題は、予約操作がよりしやすく、使い勝手のよいデジタル放送受信装置を提供することである。
【課題を解決するための手段】
【０００５】
請求項１に記載の発明は、デジタル放送波に含まれるＥＰＧデータに基づいて電子番組表を表示装置に表示させるデジタル放送受信装置において、
前記表示装置に表示された前記電子番組表における任意のチャンネル及び任意の時間のうち、少なくとも何れか一方を指定する指定手段と、
前記指定手段により指定された任意のチャンネル及び／又は任意の時間により、予め設定された範囲決定条件に従って前記電子番組表における範囲を決定する決定手段と、
前記決定手段によって決定された前記範囲に含まれる番組の番組名及び放送時間を含む番組情報を前記ＥＰＧデータから抽出する番組情報抽出手段と、
前記番組情報抽出手段によって抽出された番組情報に基づいて、前記範囲に含まれる番組のリストを前記表示装置に表示させるリスト表示制御手段と、
前記リスト表示制御手段によって前記表示装置に表示されたリストにおいて番組を選択するための番組選択手段と、
前記番組選択手段によって選択された番組の視聴予約又は録画予約を設定する予約手段と、
前記電子番組表における番組のジャンルを指定するためのジャンル指定手段と、を備え、
前記番組情報には、当該番組の出演者及びサブタイトルのうち、少なくとも何れか一つを含む詳細情報が含まれ、
前記番組情報抽出手段は、
前記ジャンル指定手段によってジャンルが指定された場合に、前記決定手段によって決定された前記範囲に含まれる番組のうち、前記ジャンル指定手段によって指定されたジャンルに該当する番組の番組情報のみを前記ＥＰＧデータから抽出することを特徴としている。
【０００６】
請求項２に記載の発明は、デジタル放送波に含まれるＥＰＧデータに基づいて電子番組表を表示装置に表示させるデジタル放送受信装置において、
前記表示装置に表示された前記電子番組表の範囲を選択するための選択手段と、
前記選択手段によって選択された前記範囲に含まれる番組の番組名及び放送時間を含む番組情報を前記ＥＰＧデータから抽出する番組情報抽出手段と、
前記番組情報抽出手段によって抽出された番組情報に基づいて、前記範囲に含まれる番組のリストを前記表示装置に表示させるリスト表示制御手段と、
前記リスト表示制御手段によって前記表示装置に表示されたリストにおいて番組を選択するための番組選択手段と、
前記番組選択手段によって選択された番組の視聴予約又は録画予約を設定する予約手段と、
を備えることを特徴としている。
【０００７】
請求項３に記載の発明は、請求項２に記載のデジタル放送受信装置において、
前記番組情報には、当該番組の出演者及びサブタイトルのうち、少なくとも何れか一つを含む詳細情報が含まれることを特徴としている。
【０００８】
請求項４に記載の発明は、請求項２又は３に記載のデジタル放送受信装置において、
前記電子番組表における番組のジャンルを指定するためのジャンル指定手段を備え、
前記番組情報抽出手段は、
前記ジャンル指定手段によってジャンルが指定された場合に、前記選択手段によって選択された前記範囲に含まれる番組のうち、前記ジャンル指定手段によって指定されたジャンルに該当する番組の番組情報のみを前記ＥＰＧデータから抽出することを特徴としている。
【０００９】
請求項５に記載の発明は、請求項２〜４の何れか一項に記載のデジタル放送受信装置において、
前記選択手段は、
前記表示装置に表示された前記電子番組表における任意のチャンネル及び任意の時間のうち、少なくとも何れか一方を指定する指定手段と、
前記指定手段により指定された任意のチャンネル及び／又は任意の時間により、予め設定された範囲決定条件に従って前記電子番組表における範囲を決定する決定手段と、
を備えることを特徴としている。
【発明の効果】
【００１０】
請求項１に記載の発明によれば、指定手段により、表示装置に表示された電子番組表における任意のチャンネル及び任意の時間のうち、少なくとも何れか一方が指定され、決定手段により、指定手段により指定された任意のチャンネル及び／又は任意の時間により、予め設定された範囲決定条件に従って電子番組表における範囲が決定され、番組情報抽出手段により、決定された範囲に含まれる番組の番組名及び放送時間を含む番組情報がＥＰＧデータから抽出され、リスト表示制御手段により、番組情報抽出手段によって抽出された番組情報に基づいて、当該範囲に含まれる番組のリストを表示装置に表示させ、番組選択手段により、表示装置に表示されたリストにおいて番組が選択され、予約手段により、選択された番組の視聴予約又は録画予約が設定されるので、電子番組表よりもより見やすいリストにおいて番組の選択及び視聴予約又は録画予約ができることとなって、予約操作がよりしやすく、使い勝手のよいデジタル放送受信装置を提供できる。
【００１１】
また、番組情報には、当該番組の出演者及びサブタイトルのうち、少なくとも何れか一つを含む詳細情報が含まれるので、リストにおいて当該詳細情報をユーザが確認することができ、ユーザが視聴予約又は録画予約したい番組を確実に選択できる。
【００１２】
また、ジャンル指定手段により、電子番組表における番組のジャンルが指定され、番組情報抽出手段は、ジャンル指定手段によってジャンルが指定された場合に、選択手段によって選択された範囲に含まれる番組のうち、ジャンル指定手段によって指定されたジャンルに該当する番組の番組情報のみをＥＰＧデータから抽出するので、リストに表示する番組をジャンルによって絞りこむことができ、リストに表示される番組の数を少なくすることができることとなって、リストをさらに見やすいものとすることができる。
また、リストに表示する番組をジャンルにより絞りこむことで、ユーザが視聴予約又は録画予約したい番組をより容易に選択することができ、より使い勝手のよいデジタル放送受信装置を提供することができる。
【００１３】
また、指定手段により、表示装置に表示された電子番組表における任意のチャンネル及び任意の時間のうち、少なくとも何れか一方が指定され、決定手段により、指定手段により指定された任意のチャンネル及び／又は任意の時間により、予め設定された範囲決定条件に従って電子番組表における範囲が決定されるので、見にくい電子番組表において、ユーザが指定手段により任意のチャンネル及び任意の時間のうち、少なくとも何れか一方を指定するだけで、電子番組表における範囲を選択することができる。
また、決定手段により、指定手段により指定された任意のチャンネル及び／又は任意の時間により、予め設定された範囲決定条件に従って電子番組表における範囲が決定されるので、電子番組表における指定位置がユーザが本来指定したいと思った位置と多少ずれても、ユーザが所望する時間及びチャンネルを含む範囲が選択されることとなって、さらに予約操作がしやすく、さらに使い勝手のよいデジタル放送受信装置を提供することができる。
【００１４】
請求項２に記載の発明によれば、選択手段により、表示装置に表示された電子番組表の範囲が選択され、番組情報抽出手段により、選択された範囲に含まれる番組の番組名及び放送時間を含む番組情報がＥＰＧデータから抽出され、リスト表示制御手段により、番組情報抽出手段によって抽出された番組情報に基づいて、当該範囲に含まれる番組のリストを表示装置に表示させ、番組選択手段により、表示装置に表示されたリストにおいて番組が選択され、予約手段により、選択された番組の視聴予約又は録画予約が設定されるので、電子番組表よりもより見やすいリストにおいて番組の選択及び視聴予約又は録画予約ができることとなって、予約操作がよりしやすく、使い勝手のよいデジタル放送受信装置を提供できる。
【００１５】
請求項３に記載の発明によれば、請求項２に記載の発明と同様の効果が得られるのは勿論のこと、特に、番組情報には、当該番組の出演者及びサブタイトルのうち、少なくとも何れか一つを含む詳細情報が含まれるので、リストにおいて当該詳細情報をユーザが確認することができ、ユーザが視聴予約又は録画予約したい番組を確実に選択できる。
【００１６】
請求項４に記載の発明によれば、請求項２又は３に記載の発明と同様の効果が得られるのは勿論のこと、特に、ジャンル指定手段により、電子番組表における番組のジャンルが指定され、番組情報抽出手段は、ジャンル指定手段によってジャンルが指定された場合に、選択手段によって選択された範囲に含まれる番組のうち、ジャンル指定手段によって指定されたジャンルに該当する番組の番組情報のみをＥＰＧデータから抽出するので、リストに表示する番組をジャンルによって絞りこむことができ、リストに表示される番組の数を少なくすることができることとなって、リストをさらに見やすいものとすることができる。
また、リストに表示する番組をジャンルにより絞りこむことで、ユーザが視聴予約又は録画予約したい番組をより容易に選択することができ、より使い勝手のよいデジタル放送受信装置を提供することができる。
【００１７】
請求項５に記載の発明によれば、請求項２〜４の何れか一項に記載の発明と同様の効果が得られるのは勿論のこと、特に、指定手段により、表示装置に表示された電子番組表における任意のチャンネル及び任意の時間のうち、少なくとも何れか一方が指定され、決定手段により、指定手段により指定された任意のチャンネル及び／又は任意の時間により、予め設定された範囲決定条件に従って電子番組表における範囲が決定されるので、見にくい電子番組表において、ユーザが指定手段により任意のチャンネル及び任意の時間のうち、少なくとも何れか一方を指定するだけで、電子番組表における範囲を選択することができる。
また、決定手段により、指定手段により指定された任意のチャンネル及び／又は任意の時間により、予め設定された範囲決定条件に従って電子番組表における範囲が決定されるので、電子番組表における指定位置がユーザが本来指定したいと思った位置と多少ずれても、ユーザが所望する時間及びチャンネルを含む範囲が選択されることとなって、さらに予約操作がしやすく、さらに使い勝手のよいデジタル放送受信装置を提供することができる。
【発明を実施するための最良の形態】
【００１８】
以下、図を参照して、本発明に係るデジタル放送受信装置を実施するための最良の形態を詳細に説明する。
【００１９】
まず、本発明に係るデジタル放送受信装置１００の構成について図を参照しながら説明する。本発明に係るデジタル放送受信装置１００は、図１に示すように、アンテナ１，チューナ部２，分離部３，デコーダ４，制御部５，入力部６等を備えて構成される。
また、デジタル放送受信装置１００は、表示装置２００，音出力装置３００，録画装置４００と接続されている。録画装置４００は、例えば、磁気的記録媒体等を備えて構成され、デジタル放送受信装置１００から出力されるビデオデータ及びオーディオデータを記憶することにより録画を行う。
【００２０】
アンテナ１は、パラボラアンテナやＵＨＦアンテナ等であり、デジタル放送波を受信し、ＲＦ（Radio  Frequency）信号をチューナ部２に出力する。なお、ＣＡＴＶ回線を介してデジタル放送波を受信する場合には、アンテナ１の代わりに、接続ケーブル（図示省略）等が備えられてもよい。また、例えば、デジタル放送波に含まれる物理チャンネルの放送データは、ＭＰＥＧ２−ＴＳ方式により多重化されている。
【００２１】
チューナ部２は、例えば、ミキサ（図示省略），選局回路（図示省略），逆インタリーブ回路（図示省略），誤り訂正回路（図示省略），復調回路（図示省略）等を備えて構成される。そして、チューナ部２において、ミキサ，選局回路等により、アンテナ１から入力されたＲＦ信号からユーザが所望する物理チャンネルのＩＦ（Intermediate  Frequency）信号が生成される。また、チューナ部２において、逆インタリーブ回路，誤り訂正回路，復調回路等により、生成されたＩＦ信号に誤り訂正処理や復調処理等が施され、放送データとしてのＴＳ（Transport  Stream）信号に変換される。チューナ部２により生成されたＴＳ信号は、分離部３に出力される。
【００２２】
分離部３は、例えば、チューナ部２，デコーダ４等と接続され、チューナ部２から入力されるＴＳ信号をビデオデータ，オーディオデータ，ＰＳＩ／ＳＩ（Program  Specific  Information／Service  Information）に分離し、デコーダ４に出力する。
【００２３】
デコーダ４は、分離部３から入力されるビデオデータ及びオーディオデータに復号処理を行って、表示装置２００，音出力装置３００，録画装置４００に出力する。
【００２４】
制御部５は、図２に示すように、ＣＰＵ（Central  Processing  Unit）７，ＲＡＭ（Random  Access  Memory）８，記憶部９等を備えて構成され、チューナ部２，分離部３，デコーダ４，入力部６等と接続され、デジタル放送受信装置１００の各部の制御を行う。
【００２５】
ＣＰＵ７は、記憶部９に格納された処理プログラム等を読み出して、ＲＡＭ８に展開して実行することにより、デジタル放送受信装置１００全体の制御を行う。
【００２６】
ＲＡＭ８は、ＣＰＵ７により実行された処理プログラム等を、ＲＡＭ８内のプログラム格納領域に展開するとともに、入力データや上記処理プログラムが実行される際に生じる処理結果等をデータ格納領域に格納する。
【００２７】
記憶部９は、例えば、プログラムやデータ等が予め記憶されている記録媒体（図示せず）を有しており、この記録媒体は、例えば、半導体メモリ等で構成されている。また、記憶部９は、ＣＰＵ７がデジタル放送受信装置１００全体を制御する機能を実現させるための各種データ，各種処理プログラム，これらプログラムの実行により処理されたデータ等を記憶する。より具体的には、記憶部９は、例えば、図２に示すように、ＥＰＧデータファイル９ａ，番組表表示プログラム９ｂ，範囲決定プログラム９ｃ，番組抽出プログラム９ｄ，表示制御プログラム９ｅ，予約プログラム９ｆ等を格納している。
【００２８】
ＥＰＧデータファイル９ａは、例えば、デジタル放送波に多重化されて伝送されるＥＰＧ（Electric  Program  Guide）データを記憶している。ＥＰＧデータには、番組名，ジャンル，出演者名，サブタイトル，チャンネル番号，放送開始時間，放送終了時間等のデータが含まれる。
【００２９】
番組表表示プログラム９ｂは、例えば、ＣＰＵ７に、ＥＰＧデータに基づいて、電子番組表Ｈを表示装置２００に表示させる機能を実現させるプログラムである。電子番組表Ｈを表示する表示装置２００の表示画面の一例を図３に示す。図３に示す電子番組表Ｈにおいて、チャンネルと時刻とが対応付けられており、行がチャンネルを示し、列が時間を示している。例えば、２行目にチャンネル１００が表示されており、１列目がＰＭ７：００〜ＰＭ８：００までの時間帯が表示されている。
【００３０】
また、電子番組表Ｈの上部には、ニュース，スポーツ，ドラマ，音楽，教育等のジャンルを指定するためのジャンル指定ボタンＢが表示されている。ジャンル指定ボタンＢがユーザによって選択されることにより、ジャンルが指定するための入力信号がＣＰＵ７に入力されるようになっている。より具体的には、例えば、入力部６の矢印キー６１（後述）がユーザにより操作されることにより、これらジャンル指定ボタンＢが選択され、決定キー６２（後述）が押下されることにより、ジャンルが指定されるようになっている。
【００３１】
また、図３に示す電子番組表Ｈにおいて、時間を指定するためのカーソルＫが表示される。カーソルＫは、入力部６の後述する矢印キー６１（後述）がユーザにより操作されることにより、電子番組表Ｈにおいて左右に移動可能となっており、決定キー６２（後述）が押下されることにより、カーソルＫにより指向された時間が指定されるようになっている。また、入力部６の後述する数字キー６３（後述）がユーザにより押下されることにより、電子番組表Ｈおいてチャンネルが指定されるようになっている。図３においては、ユーザが入力部６を操作することによって、例えば、ＰＭ８：００の時間とチャンネル１００とが指定されており、これにより、電子番組表Ｈにおいて、ＰＭ８：００とチャンネル１００とを含む範囲が選択され、選択信号がＣＰＵ７に出力される。
【００３２】
範囲決定プログラム９ｃは、例えば、ＣＰＵ７に、予め設定された範囲決定条件に従って、入力部６がユーザによって操作されることにより指定された時間又はチャンネルを含む範囲を、入力部６がユーザによって操作されることにより選択された範囲として決定する機能を実現させるプログラムである。範囲決定条件は、例えば、範囲決定プログラム９ｃ内に組み込まれている。そして、入力部６がユーザによって操作されることにより、時間及びチャンネルが指定されている場合には、ＣＰＵ７は、範囲決定プログラム９ｃを実行することにより、当該時間よりも後の時間帯の当該チャンネルの範囲を、入力部６がユーザにより操作されることにより選択された範囲として決定する。図３においては、ＰＭ８：００の時間とチャンネル１００とが指定されており、この場合には、ＣＰＵ７は、ＰＭ８：００以降のチャンネル１００の範囲が入力部６がユーザにより操作されることにより選択された範囲として決定する。
また、ＣＰＵ７は、範囲決定プログラム９ｃを実行することにより、入力部６がユーザにより操作されることにより時間のみが指定されている場合には、当該時間を含む時間帯の全てのチャンネルの範囲を入力部６がユーザにより操作されることにより選択された範囲として決定してもよいし、入力部６がユーザにより操作されることによりチャンネルのみが指定されている場合には、当該チャンネルの１日分の範囲を入力部６がユーザにより操作されることにより選択された範囲として決定してもよい。
ＣＰＵ７は、かかる範囲決定プログラム９ｃを実行することにより、選択手段の一部及び決定手段として機能する。
【００３３】
番組抽出プログラム９ｄは、例えば、ＣＰＵ７に、入力部６がユーザによって操作されることにより、電子番組表Ｈにおいて選択された範囲に含まれる番組の番組情報をＥＰＧデータファイル９ａから抽出する機能を実現させるプログラムである。例えば、図３に示す電子番組表Ｈにおいて、ユーザが入力部６を操作することにより、ＰＭ８：００の時間とチャンネル１００とが指定され、チャンネル１００のＰＭ８：００以降の範囲が入力部６がユーザに操作されることにより選択された範囲として決定された場合には、チャンネル１００のＰＭ８：００以降の番組の番組情報を抽出する。ここで、番組情報とは、例えば、番組名，放送時間等であり、出演者及びサブタイトルのうち少なくとも何れか一つを含む詳細情報等も含む。また、ＣＰＵ７は、番組抽出プログラム９ｄを実行することにより、図３に示す電子番組表Ｈにおいて、さらにジャンルが指定されている場合には、当該範囲に含まれる番組のうち、当該ジャンルに該当する番組の番組情報のみを抽出する。ＣＰＵ７は、かかる番組抽出プログラム９ｄを実行することにより、番組情報抽出手段として機能する。
【００３４】
表示制御プログラム９ｅは、例えば、ＣＰＵ７に、番組抽出プログラム９ｄを実行することにより抽出した番組情報に基づいて、入力部６がユーザによって操作されることにより、電子番組表Ｈにおいて選択された範囲に含まれる番組及び当該番組の詳細情報のリストＲを表示装置２００に表示させる機能を実現させるプログラムである。ＣＰＵ７が表示制御プログラム９ｅを実行することにより表示装置２００に表示されるリストＲの一例を図４に示す。例えば、図４に示すように、当該リストＲでは、放送時間と番組名と詳細情報とが対応付けられて表示される。より具体的には、例えば、図４に示すように、当該リストＲでは、行毎に各番組及び各番組の詳細情報が表示されており、１列目に放送時間，２列目に番組名，３列目に詳細情報が表示されており、各行の左側に１，２，３，・・・・と番号が付されている。そして、入力部６の数字キー６３が押下されることにより、該当する番号の番組が選択されるようになっている。ＣＰＵ７は、かかる表示制御プログラム９ｅを実行することにより、リスト表示制御手段として機能する。
【００３５】
予約プログラム９ｆは、例えば、ＣＰＵ７に、表示装置２００に表示されたリストＲにおいて、入力部６がユーザによって操作されることにより選択された番組の視聴予約又は録画予約を行う機能を実現させるプログラムである。ＣＰＵ７は、かかる予約プログラム９ｆを実行することにより、予約手段として機能する。
【００３６】
入力部６は、例えば、リモコン等であって、デジタル放送受信装置１００に各種操作に関する入力信号を入力するためのキー等を備え、ユーザにより操作されることによって、各種操作の入力信号がデジタル放送受信装置１００に入力される。より具体的には、入力部６は、例えば、図５に示すように、矢印キー６１，決定キー６２，数字キー６３等を備え、当該矢印キー６１，決定キー６２等がユーザにより押下されることによって、ジャンルを指定する入力信号，時間を指定する入力信号等をデジタル放送受信装置１００に出力し、数字キー６３がユーザにより押下されることによって、表示装置２００に表示された電子番組表Ｈにおいてチャンネルを指定する入力信号，表示装置２００に表示されたリストＲにおいて番組を選択する入力信号等をデジタル放送受信装置１００に出力する。これにより、入力部６は、ジャンル指定手段及び番組選択手段として機能する。
また、矢印キー６１，決定キー６２，数字キー６３は、選択手段の一部及び指定手段として機能し、これら矢印キー６１，決定キー６２，数字キー６３が操作されることにより、電子番組表Ｈにおいて時間又はチャンネルが指定され、当該時間又はチャンネルを含む範囲が選択される。
【００３７】
次に、上述のような構成のデジタル放送受信装置１００の動作について図６に示すフローチャートを参照しながら説明する。
まず、ＣＰＵ７が、番組表表示プログラム９ｂを実行することにより、表示装置２００に電子番組表Ｈを表示させる（ステップＳ１）。
【００３８】
次に、ユーザにより入力部６が操作されて、表示装置２００に表示された電子番組表Ｈにおいて、時間とチャンネルとが指定されると（ステップＳ２）、ＣＰＵ７が範囲決定プログラム９ｃを実行することにより、当該時間及びチャンネルを含む範囲を、ユーザが入力部６を操作することにより選択した範囲として決定する（ステップＳ３）。次いで、ＣＰＵ７は、番組抽出プログラム９ｄを実行することにより、電子番組表Ｈにおいて選択された範囲として決定された範囲に含まれる番組の番組情報をＥＰＧデータファイル９ａから抽出する（ステップＳ４）。
【００３９】
次に、ＣＰＵ７は、表示制御プログラム９ｅを実行することにより、ステップＳ４において抽出した番組情報に基づいて、電子番組表Ｈにおいて選択された範囲に含まれる番組及び当該番組の詳細情報のリストＲを表示装置２００に表示させる（ステップＳ５）。
【００４０】
次に、表示装置２００に表示されたリストＲにおいて、ユーザが入力部６を操作することにより番組が選択されると（ステップＳ６）、ＣＰＵ７は、予約プログラム９ｆを実行することにより、ステップＳ５において選択された番組の視聴予約又は録画予約を行う（ステップＳ７）。
【００４１】
以上に説明した本発明に係るデジタル放送受信装置１００によれば、ユーザが入力部６の矢印キー６１，決定キー６２，数字キー６３を操作することにより、表示装置２００に表示された電子番組表Ｈにおける任意のチャンネル及び任意の時間のうち、少なくとも何れか一方が指定され、ＣＰＵ７が範囲決定プログラム９ｃを実行することにより、指定された任意のチャンネル及び／又は任意の時間により、予め設定された範囲決定条件に従って電子番組表Ｈにおける範囲が決定され、ＣＰＵ７が番組抽出プログラム９ｄを実行することにより、決定された範囲に含まれる番組の番組名及び放送時間を含む番組情報がＥＰＧデータから抽出され、ＣＰＵ７が表示制御プログラム９ｅを実行することにより、抽出された番組情報に基づいて、当該範囲に含まれる番組のリストＲを表示装置２００に表示させ、ユーザが入力部６を操作することにより、表示装置２００に表示されたリストＲにおいて番組が選択され、ＣＰＵ７が予約プログラム９ｆを実行することにより、選択された番組の視聴予約又は録画予約が設定されるので、電子番組表Ｈよりもより見やすいリストＲにおいて番組の選択及び視聴予約又は録画予約ができることとなって、予約操作がよりしやすく、使い勝手のよいデジタル放送受信装置１００を提供できる。
【００４２】
また、番組情報には、当該番組の出演者及びサブタイトルのうち、少なくとも何れか一つを含む詳細情報が含まれるので、リストＲにおいて当該詳細情報をユーザが確認することができ、ユーザが視聴予約又は録画予約したい番組を確実に選択できる。
【００４３】
また、ユーザが入力部６を操作することにより、電子番組表Ｈにおける番組のジャンルが指定され、ＣＰＵ７は番組抽出プログラム９ｄを実行することにより、電子番組表Ｈにおいて決定された範囲に含まれる番組のうち、指定されたジャンルに該当する番組の番組情報のみをＥＰＧデータから抽出するので、リストＲに表示する番組をジャンルによって絞りこむことができ、リストＲに表示される番組の数を少なくすることができることとなって、リストＲをさらに見やすいものとすることができる。
また、リストＲに表示する番組をジャンルにより絞りこむことで、ユーザが視聴予約又は録画予約したい番組をより容易に選択することができ、より使い勝手のよいデジタル放送受信装置１００を提供することができる。
【００４４】
また、ユーザが入力部６の矢印キー６１，決定キー６２，数字キー６３を操作することにより、表示装置２００に表示された電子番組表Ｈにおける任意のチャンネル及び任意の時間のうち、少なくとも何れか一方が指定され、ＣＰＵ７が範囲決定プログラム９ｃを実行することにより、指定された任意のチャンネル及び／又は任意の時間により、予め設定された範囲決定条件に従って電子番組表Ｈにおける範囲が決定されるので、見にくい電子番組表Ｈにおいて、ユーザが入力部６の矢印キー６１，決定キー６２，数字キー６３により任意のチャンネル及び任意の時間のうち、少なくとも何れか一方を指定するだけで、電子番組表Ｈにおける範囲を選択することができる。
また、ＣＰＵ７が範囲決定プログラム９ｃを実行することにより、指定された任意のチャンネル及び／又は任意の時間により、予め設定された範囲決定条件に従って電子番組表Ｈにおける範囲が決定されるので、電子番組表Ｈにおける指定位置がユーザが本来指定したいと思った位置と多少ずれても、ユーザが所望する時間及びチャンネルを含む範囲が選択されることとなって、さらに予約操作がしやすく、さらに使い勝手のよいデジタル放送受信装置１００を提供することができる。
【００４５】
なお、ＣＰＵ７が表示制御プログラムを実行することにより表示装置２００に表示されるリストＲは、本実施形態に示したものに限られず、例えば、図７に示すように、各番組の放送時間と番組名とが対応付けられているものであってもよい。より具体的には、図７に示すリストＲでは、行毎に各番組及び各番組の放送時間が表示されており、１列目に放送時間，２列目に番組名が縦一列に揃えて表示され、各番組名の表示の背景の横方向の長さが放送時間に応じた長さとなっており、各行の左側に１，２，３，・・・・と番号が付されている。
また、デジタル放送受信装置１００に表示装置２００，音出力装置３００，録画装置４００が一体的に設けられてもよい。
また、範囲決定条件は、本実施形態に例示したものに限られず、例えば、ＣＰＵ７が範囲決定プログラム９ｃを実行することにより、ユーザが入力部６の矢印キー６１，決定キー６２，数字キー６３を操作することによって電子番組表Ｈにおいて時間，チャンネルが指定された場合に、当該時間，チャンネルを含む所定広さの範囲が、ユーザが入力部６を操作することにより電子番組表Ｈにおいて選択した範囲として決定してもよい。
【図面の簡単な説明】
【００４６】
【図１】本発明に係るデジタル放送受信装置，表示装置，音出力装置，録画装置を示すブロック図である。
【図２】本発明に係るデジタル放送受信装置の構成を示すブロック図である。
【図３】本発明に係る電子番組表の一例を説明するための図である。
【図４】本発明に係るリストの一例を説明するための図である。
【図５】本発明にかかる入力部の一例を示す図である。
【図６】本発明に係るデジタル放送受信装置の動作を説明するフローチャートである。
【図７】本発明に係るリストの一例を説明するための図である。
【符号の説明】
【００４７】
６  入力部（番組選択手段，ジャンル指定手段）
６１  矢印キー（指定手段，選択手段）
６２  決定キー（指定手段，選択手段）
６３  数字キー（指定手段，選択手段）
７  ＣＰＵ（決定手段，選択手段，番組情報抽出手段，リスト表示制御手段，予約手段）
９ｃ  範囲決定プログラム（決定手段，選択手段）
９ｄ  番組抽出プログラム（番組情報抽出手段）
９ｅ  表示制御プログラム（リスト表示制御手段）
９ｆ  予約プログラム（予約手段）
１００  デジタル放送受信装置
２００  表示装置
Ｈ  電子番組表
Ｒ  リスト
【図１】
2007195004.tif 000003
【図２】
2007195004.tif 000004
【図３】
2007195004.tif 000005
【図４】
2007195004.tif 000006
【図５】
2007195004.tif 000007
【図６】
2007195004.tif 000008
【図７】
2007195004.tif 000009